(57)【要約】【課題】再生時の復号処理に通常速度再生と同程度の処理能力しか必要とせず、符号化時にあらかじめ設定した複数の再生速度での再生を可能とする記録装置および再生装置を提供する。【解決手段】記録装置において、複数の設定再生速度に対応した復号対象のピクチャを指定するための再生速度制御情報を付加した符号化ストリームを記録媒体５に記録し、再生装置において、読み出し制御部３４により、外部から入力される再生速度指示と記録媒体５から読み出した再生速度制御情報とに基づき、再生速度に応じて必要なピクチャの符号化データのみを記録媒体５から読み出すように読み出し部３１を制御する。【選択図】図５
2008211474.tif 000002
【特許請求の範囲】
【請求項１】
入力される画像信号をピクチャ単位でピクチャタイプに応じて符号化してピクチャの符号化データを生成し、予め設定される複数の設定再生速度に対応して定めたピクチャタイプ配列の符号化ストリームを生成する符号化手段と、
前記複数の各設定再生速度に対応した復号対象となるピクチャをそれぞれ指定するための再生速度制御情報を生成し、この再生速度制御情報を前記符号化ストリーム内の所定の位置に付加する再生速度制御情報付加手段と、
前記再生速度制御情報を付加した前記符号化ストリームを記録データとして記録媒体に記録する記録手段と
を備えることを特徴とする記録装置。
【請求項２】
請求項１に記載の記録装置により前記記録媒体に記録された前記記録データを読み出す読み出し手段と、
この読み出し手段で読み出した前記記録データから前記ピクチャの符号化データと前記再生速度制御情報とを分離する分離手段と、
外部から入力される再生速度指示および前記分離手段により分離された前記再生速度制御情報に基づいて、前記記録データから復号対象となるピクチャの符号化データを読み出すように前記読み出し手段を制御する読み出し制御手段と、
この読み出し制御手段に制御されて前記読み出し手段により読み出され、前記分離手段により分離された前記復号対象となるピクチャの符号化データを復号する復号手段と
を備えることを特徴とする再生装置。
【請求項３】
入力される画像信号をピクチャ単位でピクチャタイプに応じて符号化し、予め設定される複数の設定再生速度に対応して定めたピクチャタイプ配列の符号化ストリームであり、第１のフレームレートとして設定した符号化ストリームを生成する符号化手段と、
前記複数の設定再生速度は前記第１のフレームレートと、前記第１のフレームレートとは異なる第２のフレームレートとのそれぞれに応じて予め設定される再生速度であり、前記複数の各設定再生速度に対応した復号対象のピクチャをそれぞれ指定するための再生速度制御情報を生成し、この再生速度制御情報を前記符号化ストリーム内の所定の位置に付加する再生速度制御情報付加手段と、
前記再生速度制御情報を付加した前記符号化ストリームを記録データとして記録媒体に記録する記録手段と
を備えることを特徴とする記録装置。
【請求項４】
請求項３に記載の記録装置により前記記録媒体に記録された前記記録データを読み出す読み出し手段と、
この読み出し手段で読み出した前記記録データから前記ピクチャの符号化データと前記再生速度制御情報とを分離する分離手段と、
前記分離手段で分離された前記符号化データを復号し、得られた画像信号を外部に出力するとともに、前記符号化データから前記第１のフレームレートを取得する復号手段と、
前記復号手段で復号された前記画像信号が供給される表示装置が表示可能なフレームレートを取得する表示能力検出手段と、
外部から入力される再生速度指示、前記分離手段により分離された前記再生速度制御情報、前記復号手段により取得した前記第１のフレームレート、および前記表示能力検出手段により取得した前記表示装置が表示可能なフレームレートに基づいて、前記記録データから復号対象となるピクチャの符号化データを読み出すように前記読み出し手段を制御する読み出し制御手段と
を備えことを特徴とする再生装置。
【発明の詳細な説明】
【技術分野】
【０００１】
本発明は、動画像信号を圧縮符号化して記録媒体に記録し、記録媒体から読み出して再生する際に、記録時と異なる再生速度やフレームレートで再生を可能とする記録装置および再生装置に関する。
【背景技術】
【０００２】
近年、画像情報のデジタル化に伴い、ＭＰＥＧ−２（ＩＳＯ／ＩＥＣ  １３８１８−２）に代表される画像符号化方式が標準化され普及している（非特許文献１参照）。ＭＰＥＧ−２ではピクチャ単位で符号化を行い、ピクチャ内符号化を行うＩピクチャと、参照ピクチャからの予測を用いたピクチャ間符号化を行うＰピクチャおよびＢピクチャを用いて符号化を行っている。
【０００３】
画像信号を記録した記録媒体を再生する際には、通常の再生速度以外に高速再生や低速再生といった特殊再生機能が必須となっており、再生装置にもこのような特殊再生機能が求められている。
【０００４】
従来の再生装置では、通常の再生速度以外の速度で再生する場合には、すべてのピクチャを復号するのではなく、再生速度に応じて必要なピクチャのみを復号し再生している。例えば３倍速再生を行う場合では、３枚おきのピクチャを復号して再生する。
【０００５】
しかし、ＭＰＥＧ−２のようなピクチャ間予測を用いた符号化方式では、ＰピクチャやＢピクチャを復号する際に参照画像が既に復号されている必要があり、Ｉピクチャから順次復号していかなければならないため、必要なピクチャのみを復号することができない。そこで、必要なピクチャを復号する替わりに、そのピクチャに時間的に近いＩピクチャのみを復号して再生することも考えられるが、この方法では高速再生の際に再生画像の動きが滑らかにならないことがあった。
【０００６】
そこで、任意の速度で復号処理を行った後にレート変換手段により所定のフレームレートに変換して再生することにより高速再生を実現する技術が特許文献１に開示されている。
【特許文献１】特開平７−２５０３０６号公報
【非特許文献１】Ｉｎｆｏｒｍａｔｉｏｎ  Ｔｅｃｈｎｏｌｏｇｙ−Ｇｅｎｅｒｉｃ  Ｃｏｄｉｎｇ  ｏｆ  Ｍｏｖｉｎｇ  Ｐｉｃｔｕｒｅｓ  ａｎｄ  Ａｓｓｏｃｉａｔｅｄ  Ａｕｄｉｏ：Ｖｉｄｅｏ（ＩＴＵ−Ｔ  Ｒｅｃ．  Ｈ．２６２  ｜  ＩＳＯ／ＩＥＣ  １３８１８−２）、１９９５年
【発明の開示】
【発明が解決しようとする課題】
【０００７】
しかしながら、上記特許文献１に開示された技術では、任意の速度で復号処理を行う必要があるため、高速再生を行う場合、その速度に合わせた高速な復号処理を行う必要があり、復号手段に高い処理能力が要求される。例えば３倍速再生を行う場合、通常の３倍の速度で復号処理を行い、最終的に復号された３枚のピクチャのうち１枚のみが再生出力される。したがって、実際には再生出力されない２枚のピクチャを復号するために、通常速度再生の３倍の復号処理を行うので、３倍の処理能力を必要とする。
【０００８】
画像の高精細化とともに復号手段に求められる処理能力も増大しており、このように通常速度再生の何倍もの高い処理能力が要求される構成では実現することが困難となっている。
【０００９】
本発明は上記に鑑みてなされたもので、再生時の復号処理に通常速度再生と同程度の処理能力しか必要とせず、符号化時にあらかじめ設定した複数の再生速度での再生を可能とする記録装置および再生装置を提供することを目的とする。
【課題を解決するための手段】
【００１０】
上記目的を達成するため、請求項１記載の発明は、入力される画像信号をピクチャ単位でピクチャタイプに応じて符号化してピクチャの符号化データを生成し、予め設定される複数の設定再生速度に対応して定めたピクチャタイプ配列の符号化ストリームを生成する符号化手段と、前記複数の各設定再生速度に対応した復号対象となるピクチャをそれぞれ指定するための再生速度制御情報を生成し、この再生速度制御情報を前記符号化ストリーム内の所定の位置に付加する再生速度制御情報付加手段と、前記再生速度制御情報を付加した前記符号化ストリームを記録データとして記録媒体に記録する記録手段とを備えることを特徴とする。
【００１１】
請求項２記載の発明は、請求項１に記載の記録装置により前記記録媒体に記録された前記記録データを読み出す読み出し手段と、この読み出し手段で読み出した前記記録データから前記ピクチャの符号化データと前記再生速度制御情報とを分離する分離手段と、外部から入力される再生速度指示および前記分離手段により分離された前記再生速度制御情報に基づいて、前記記録データから復号対象となるピクチャの符号化データを読み出すように前記読み出し手段を制御する読み出し制御手段と、この読み出し制御手段に制御されて前記読み出し手段により読み出され、前記分離手段により分離された前記復号対象となるピクチャの符号化データを復号する復号手段とを備えることを特徴とする。
【００１２】
請求項３記載の発明は、入力される画像信号をピクチャ単位でピクチャタイプに応じて符号化し、予め設定される複数の設定再生速度に対応して定めたピクチャタイプ配列の符号化ストリームであり、第１のフレームレートとして設定した符号化ストリームを生成する符号化手段と、前記複数の設定再生速度は前記第１のフレームレートと、前記第１のフレームレートとは異なる第２のフレームレートとのそれぞれに応じて予め設定される再生速度であり、前記複数の各設定再生速度に対応した復号対象のピクチャをそれぞれ指定するための再生速度制御情報を生成し、この再生速度制御情報を前記符号化ストリーム内の所定の位置に付加する再生速度制御情報付加手段と、前記再生速度制御情報を付加した前記符号化ストリームを記録データとして記録媒体に記録する記録手段とを備えることを特徴とする。
【００１３】
請求項４記載の発明は、請求項３に記載の記録装置により前記記録媒体に記録された前記記録データを読み出す読み出し手段と、この読み出し手段で読み出した前記記録データから前記ピクチャの符号化データと前記再生速度制御情報とを分離する分離手段と、前記分離手段で分離された前記符号化データを復号し、得られた画像信号を外部に出力するとともに、前記符号化データから前記第１のフレームレートを取得する復号手段と、前記復号手段で復号された前記画像信号が供給される表示装置が表示可能なフレームレートを取得する表示能力検出手段と、外部から入力される再生速度指示、前記分離手段により分離された前記再生速度制御情報、前記復号手段により取得した前記第１のフレームレート、および前記表示能力検出手段により取得した前記表示装置が表示可能なフレームレートに基づいて、前記記録データから復号対象となるピクチャの符号化データを読み出すように前記読み出し手段を制御する読み出し制御手段とを備えことを特徴とする。
【発明の効果】
【００１４】
本発明によれば、記録装置において、複数の設定再生速度に対応して復号対象となるピクチャを指定するための再生速度制御情報を付加した符号化ストリームを記録媒体に記録し、再生装置において、外部から入力される再生速度指示および再生速度制御情報に基づいて、復号対象となるピクチャの符号化データを記録媒体から読み出して復号するので、再生時の復号処理に通常速度再生と同程度の処理能力しか必要とせず、符号化時にあらかじめ設定した複数の再生速度での再生を行うことができる。
【発明を実施するための最良の形態】
【００１５】
以下、本発明を実施するための最良の実施の形態について、図面を参照して説明する。
【００１６】
（第１の実施の形態）
図１は本発明の第１の実施の形態に係る記録装置の構成を示すブロック図である。図１に示すように第１の実施の形態に係る記録装置は、ユーザ操作に応じて入力される複数の設定再生速度に対応したピクチャタイプの配列になるような順序で入力画像信号をピクチャ単位で圧縮符号化する符号化部１と、符号化部１で生成した符号化データを蓄積するバッファ２と、バッファ２に蓄積された符号化データの符号量を監視しながら、ユーザ操作に応じて入力される複数の設定再生速度に対応して復号対象となるピクチャを指定するための再生速度制御情報を生成し、これをバッファ２に蓄積した符号化ストリームに付加する再生速度制御情報付加部３と、再生速度制御情報を付加した符号化ストリームを記録データとして記録媒体５に記録する記録部４とを備える。
【００１７】
次に、図１に示す記録装置の動作について説明する。符号化部１は、ユーザ操作に応じて入力される複数の設定再生速度に対応したピクチャタイプの配列になるような順序で入力画像信号をピクチャ単位で圧縮符号化し、符号化データをバッファ３に蓄積する。
【００１８】
図２は複数の再生速度で再生する際に再生されるピクチャを示す図であり、通常速度以外の設定再生速度が３倍速および１２倍速である場合を示す。図２において、Ｉ，Ｐ，Ｂはそれぞれの画像のピクチャタイプを示す。図２はＭＰＥＧ−２符号化方式を用いてＩピクチャの周期が１２、参照画像となるＩピクチャまたはＰピクチャの周期が３となるように符号化された符号化ストリームのピクチャを符号化順に示している。
【００１９】
図２（ａ）に示すように、この符号化ストリームをすべて復号して再生することにより通常速度再生が可能となる。また、図２（ｂ）に示すように、Ｂピクチャ以外の参照画像となるピクチャのみを復号して再生することにより３倍速再生ができる。また、図２（ｃ）に示すように、Ｉピクチャのみを復号して再生することにより１２倍速再生が可能となる。
【００２０】
ここで、記録媒体５としてハードディスクのようにランダムアクセスが可能な記録媒体を想定する。高速再生を含む再生時には、記録媒体５からすべての符号化ストリームを読み出す必要がなく、再生するピクチャを復号するために必要なピクチャの符号化データのみを読み出して復号すればよい。図２に示した例では、再生ピクチャと、その復号のために必要なピクチャとは一致している。したがって、再生速度制御情報付加部３は、各再生速度に合わせて必要なピクチャの符号化データのみを読み出すことを可能にする再生速度制御情報を付加する。
【００２１】
図３は第１の実施の形態において再生速度制御情報付加部３が付加する再生速度制御情報を示す図である。再生速度制御情報は、ピクチャの符号化データ間に挿入される。ＭＰＥＧ−２ではピクチャをはじめとする各レイヤの先頭にユニークなスタートコードが挿入されているが、再生速度制御情報の先頭にも同様にユニークなスタートコード１１を挿入する。ユニークなスタートコード１１の例として、ＭＰＥＧ−２規格で未定義のスタートコードである以下の３２ビットのコードを割り当てる。
【００２２】
‘０００００００００００００００００００００００１１０１１０１１０’
スタートコード１１に続いて再生速度の種類に応じたエントリが続く。このエントリは、エントリの最後を示すエンドフラグ１２と、再生速度を示す倍速数１３と、その再生速度で再生するために必要となる次のピクチャの符号化データへのオフセット１４とからなる。
【００２３】
エンドフラグ１２は、‘０'のときは次のエントリが存在することを示し、‘１'のときは最終エントリであることを示す。倍速数１３は、例えば再生速度の数値であり、通常速度再生の場合は‘１'、３倍速再生の場合は‘３'、１２倍速再生の場合は‘１２'という値である。また、オフセット１４は、次に復号する必要のあるピクチャの符号化データまでに読み飛ばす符号化データの符号量である。
【００２４】
図４は第１の実施の形態において再生速度制御情報が付加された後の符号化ストリームを示す図である。この例では、３倍速再生のエントリと１２倍速再生のエントリとが記録された再生速度制御情報２１がピクチャＩ０の直後に挿入され、ピクチャＰ３、Ｐ６、Ｐ９の直後には、それぞれ３倍速再生のエントリが記録された再生速度制御情報２２，２３，２４が挿入される。
【００２５】
ピクチャＩ０の直後に挿入される再生速度制御情報２１では、通常速度再生のオフセットは‘０'となり、３倍速再生のオフセットは、ピクチャＢ１の符号化データの符号量Ｐｉｃ１とピクチャＢ２の符号化データの符号量Ｐｉｃ２とを合計した値となる。同様に、１２倍速再生のオフセットは、ピクチャＢ１〜Ｂ１１，Ｐ３，Ｐ６，Ｐ９の符号量Ｐｉｃ１〜Ｐｉｃ１１の合計に、ピクチャＰ３，Ｐ６，Ｐ９の直後に挿入される再生速度制御情報２２，２３，２４の符号量Ｉｎｆｏ３，Ｉｎｆｏ６，Ｉｎｆｏ９を加算した値となる。
【００２６】
ピクチャＰ３の直後に挿入される再生速度制御情報２２に記録される３倍速再生のオフセットは、ピクチャＢ４の符号化データの符号量Ｐｉｃ４とピクチャＢ５の符号化データの符号量Ｐｉｃ５とを合計した値となる。同様に、再生速度制御情報２３に記録されるオフセットは、ピクチャＢ７の符号化データの符号量Ｐｉｃ７とピクチャＢ８の符号化データの符号量Ｐｉｃ８とを合計した値となり、再生速度制御情報２４に記録されるオフセットは、ピクチャＢ１０の符号化データの符号量Ｐｉｃ１０とピクチャＢ１１の符号化データの符号量Ｐｉｃ１１とを合計した値となる。
【００２７】
通常速度再生のオフセットは常に‘０'となるため、再生速度制御情報からエントリを省略することができる。図４に示す再生速度制御情報２１〜２４では通常速度再生のエントリを省略している。また、ピクチャＢ１，Ｂ２，Ｂ４，Ｂ５，Ｂ７，Ｂ８，Ｂ１０，Ｂ１１，…は通常速度再生時のみ必要なピクチャであり、これらのピクチャの直後には再生速度制御情報を挿入する必要がない。
【００２８】
そして、記録部４は、図４に示すような再生速度制御情報が付加された後の符号化ストリームを記録データとして記録媒体５に記録する。
【００２９】
次に、図１に示す記録装置で記録媒体５に記録された記録データを読み出して再生する再生装置について説明する。
【００３０】
図５は本発明の第１の実施の形態に係る再生装置の構成を示すブロック図である。図５に示すように第１の実施の形態に係る再生装置は、図１に示す記録装置で記録媒体５に記録された記録データからピクチャの符号化データと再生速度制御情報とを読み出す読み出し部３１と、読み出し部３１で読み出したピクチャの符号化データと再生速度制御情報とを分離する再生速度制御情報分離部３２と、再生速度制御情報分離部３２により分離された符号化データを復号する復号部３３と、外部から入力される再生速度指示および再生速度制御情報分離部３２により分離された再生速度制御情報に基づいて、記録データから復号対象となるピクチャの符号化データを読み出すように読み出し部３１を制御する読み出し制御部３４とを備える。
【００３１】
次に、図５に示す再生装置の動作について説明する。記録媒体５には上述の記録装置により、図４に示すような再生速度制御情報が付加された符号化ストリームが記録されている。
【００３２】
図４に示す符号化データが入力されると、読み出し部３１は、まずピクチャＩ０の符号化データおよび再生速度制御情報２１を読み出す。再生速度制御情報分離部３２は、ピクチャＩ０の符号化データと再生速度制御情報２１とを分離して、ピクチャＩ０の符号化データを復号部３３に供給するとともに、再生速度制御情報２１を読み出し制御部３４に供給する。
【００３３】
読み出し制御部３４にユーザ操作に基づく再生速度指示として「３倍速再生」という情報が入力された場合、読み出し制御部３４は、再生速度制御情報２１から倍速数が‘３'のエントリを選択し、そのオフセット値を読み出す。ここでは、ピクチャＢ１の符号量Ｐｉｃ１とピクチャＢ２の符号量Ｐｉｃ２との合計がオフセット値であり、読み出し制御部３４は、このオフセット値を読み飛ばし指示信号として読み出し部３１に供給する。
【００３４】
読み出し部３１は、読み出し制御部３４からの読み飛ばし指示信号にしたがって、ピクチャＢ１，Ｂ２の符号化データを読み飛ばし、ピクチャＰ３の符号化データから読み出しを行う。ピクチャＰ３の符号化データに続いて再生速度制御情報２２を読み出した後は、同様に再生速度制御情報分離部３２および読み出し制御部３４により読み飛ばし指示信号を生成し読み出し部３１を制御する。
【００３５】
以後、再生速度制御情報分離部３２が再生速度制御情報を検出し分離するたびに上記の動作を繰り返す。また、読み出し制御部３４に再生速度指示として「１２倍速再生」という情報が入力された場合、読み出し制御部３４は、再生速度制御情報２１から倍速数が‘１２'のエントリを選択してそのオフセット値を読み出し、以下上記と同様に読み出し部３１を制御する。
【００３６】
そして、復号部３３は、再生速度制御情報分離部３２によって分離された符号化データを復号して画像信号を生成し、これを外部に出力する。
【００３７】
このように第１の実施の形態によれば、記録装置において、再生速度制御情報を付加した符号化ストリームを記録媒体５に記録し、再生装置において、外部から入力される再生速度指示および再生速度制御情報に基づき、再生速度に応じて必要なピクチャの符号化データのみを記録媒体５から読み出し、復号部３３によって復号する。これにより、復号部３３が通常速度再生の処理能力しか備えていない場合でも、符号化時にあらかじめ設定した複数の再生速度での良好な高速再生を実現することができる。
【００３８】
（第２の実施の形態）
本発明の第２の実施の形態に係る記録装置は、上記第１の実施の形態で説明した図１に示す記録装置と同様の構成であるが、第１の実施の形態では符号化時のフレームレートと再生時のフレームレートが同じである場合を想定していたのに対して、第２の実施の形態では符号化時のフレームレートと異なる複数の再生時のフレームレートで再生することを想定する。
【００３９】
第２の実施の形態においては、記録装置の符号化部１および再生速度制御情報付加部３には、ユーザ操作に応じて第１のフレームレートと、この第１のフレームレートと異なる第２および第３のフレームレートと、前記第１のフレームレートと第２および第３のフレームレートとに応じて設定される複数の設定再生速度とが入力される。そして、符号化部１は、第１のフレームレートで、複数の設定再生速度に対応したピクチャタイプの配列になるような順序で入力画像信号をピクチャ単位で圧縮符号化し、符号化ストリームを生成する。また、符号化部１は、入力された第２のフレームレートを、生成した符号化ストリームのフレームレートとしてヘッダ情報に記述する。
【００４０】
図６は複数の再生速度で再生する際に再生されるピクチャを示す図であり、符号化時の画像信号のフレームレート（第１のフレームレート）が２４０フレーム／秒で、Ｉピクチャの周期が４８、参照画像となるＩピクチャまたはＰピクチャのピクチャ周期が８となるように符号化された符号化ストリームのピクチャを符号化順に示したものである。また、この符号化ストリームはフレームレート（第２のフレームレート）が６０フレーム／秒として符号化ストリームのヘッダ情報に記述されているものとする。
【００４１】
この図６に示す符号化ストリームを第２のフレームレートであるフレームレート６０フレーム／秒（６０Ｐ）で復号し、フレームレート６０フレーム／秒で表示可能な表示装置に表示する場合、図６（ａ）に示すように、符号化ストリームをすべて再生することにより１／４倍速再生が可能となる。また、図６（ｂ）に示すように、４ピクチャに１回復号して再生することにより通常速度再生が可能となり、図６（ｃ）に示すように、Ｂピクチャ以外の参照画像となるピクチャのみを復号して再生することにより２倍速再生が可能となり、図６（ｄ）に示すように、Ｉピクチャのみを再生することにより１２倍速再生が可能となる。
【００４２】
同様に、この図６に示す符号化ストリームを第３のフレームレートであるフレームレート３０フレーム／秒（３０Ｐ）で復号しフレームレート３０フレーム／秒で表示可能な表示装置に表示する場合、図６（ａ）に示すように、符号化ストリームをすべて再生することにより１／８倍速再生が可能となる。また、図６（ｂ）に示すように、４ピクチャに１回復号して再生することにより２分の１低速再生が可能となり、図６（ｃ）に示すように、Ｂピクチャ以外の参照画像となるピクチャのみを復号して再生することにより通常速度再生が可能となり、図６（ｄ）に示すように、Ｉピクチャのみを再生することにより６倍速再生が可能となる。
【００４３】
図７は第２の実施の形態において再生速度制御情報付加部３が付加する再生速度制御情報を示す図である。図７に示すように第２の実施の形態における再生速度制御情報は、図３に示した第１の実施の形態の再生速度制御情報に対して、再生速度を示す各エントリにスローフラグ１５を追加した構成である。
【００４４】
スローフラグが‘０'のときは高速再生を示し、‘１'のときは低速再生を示す。高速再生時の倍速数は、第１の実施の形態で説明したとおりであるが、低速再生時の倍速数は低速再生の速度を表す。例えば１／４倍速再生の場合‘４'、１／８倍速再生の場合‘８'という値である。
【００４５】
図８は第２の実施の形態において再生速度制御情報が付加された後の符号化ストリームを示す図である。再生速度制御情報の倍速数には、符号化ストリームのヘッダ情報に記述されているフレームレート（第２のフレームレート）を基準とした倍速数を記述する。
【００４６】
ピクチャＩ０の直後に挿入される再生速度制御情報５１には、１／４倍速再生のエントリ、通常速度再生のエントリ、２倍速再生のエントリ、および１２倍速再生のエントリが記録される。ピクチャＢ４，Ｂ１２の直後に挿入される再生速度制御情報５２，５４には、１／４倍速再生のエントリと通常速度再生のエントリとが記録される。ピクチャＰ８の直後に挿入される再生速度制御情報５３には、１／４倍速再生のエントリ、通常速度再生のエントリ、および２倍速再生のエントリが記録される。各再生速度制御情報の各エントリには、第１の実施の形態と同様に、次に復号する必要のあるピクチャの符号化データまでに読み飛ばす符号化データの符号量がオフセット値として記録される。
【００４７】
次に、図８に示すような再生速度制御情報が付加された後の符号化ストリームが記録された記録媒体５を再生する再生装置について説明する。
【００４８】
図９は本発明の第２の実施の形態に係る再生装置の構成を示すブロック図である。図９に示すように第２の実施の形態に係る再生装置は、記録媒体５に記録された記録データからピクチャの符号化データと再生速度制御情報とを読み出す読み出し部４１と、読み出し部４１で読み出したピクチャの符号化データと再生速度制御情報とを分離する再生速度制御情報分離部４２と、再生速度制御情報分離部４２により分離された符号化データを復号するとともに、復号時のフレームレートを出力する復号部４３と、復号された画像信号を表示する表示装置４６が表示可能なフレームレートを取得する表示能力検出部４４と、外部から入力される再生速度指示、再生速度制御情報分離部４２により分離された再生速度制御情報、復号部４３における復号時のフレームレート、および表示能力検出部４４により検出された表示装置４６が表示可能なフレームレートに基づいて、記録データから復号対象となるピクチャの符号化データを読み出すように読み出し部４１を制御する読み出し制御部４５とを備える。
【００４９】
次に、図９に示す再生装置の動作について説明する。記録媒体５には上述の記録装置により、図８に示すような再生速度制御情報が付加された符号化ストリームが記録されている。
【００５０】
図８に示す符号化データが入力されると、読み出し部４１は、まずピクチャＩ０の符号化データおよび再生速度制御情報５１を読み出す。再生速度制御情報分離部４２は、ピクチャＩ０の符号化データと再生速度制御情報５１とを分離して、ピクチャＩ０の符号化データを復号部４３に供給するとともに、再生速度制御情報５１を読み出し制御部４５に供給する。復号部４３は、再生速度制御情報分離部４２によって分離された符号化データを復号し、復号時のフレームレート６０フレーム／秒を得る。また、復号部４３は、再生速度制御情報分離部３２によって分離された符号化データを復号して画像信号を生成し、これを表示装置４６に出力する。
【００５１】
表示能力検出部４４は、表示装置４６が表示可能なフレームレートを取得する。例えば、表示装置４６の表示能力が６０フレーム／秒であると仮定した場合、表示能力検出部４４は表示能力情報として６０フレーム／秒を得る。
【００５２】
読み出し制御部４５にユーザ操作に基づく再生速度指示として「通常速度再生」という情報が入力された場合、読み出し制御部４５は、再生速度制御情報５１から倍速数が‘１'のエントリを選択し、そのオフセット値を読み出す。ここでは、ピクチャＢ１〜Ｂ３の符号量Ｐｉｃ１〜Ｐｉｃ３の符号量の合計がオフセット値であり、読み出し制御部４５は、このオフセット値を読み飛ばし指示信号として読み出し部４１に供給する。
【００５３】
そして、読み出し部４１は、読み出し制御部４５からの読み飛ばし指示信号にしたがって、ピクチャＢ１〜Ｂ３の符号化データを読み飛ばし、ピクチャＢ４の符号化データから読み出しを行う。ピクチャＢ４の符号化データに続いて再生速度制御情報５２を読み出した後は、同様に再生速度制御情報分離部４２および読み出し制御部４５により読み飛ばし指示信号を生成し読み出し部４１を制御する。以後、再生速度制御情報分離部４２が再生速度制御情報を検出し分離するたびに上記の動作を繰り返す。
【００５４】
また、読み出し制御部４５に再生速度指示として「１／４倍速再生」という情報が入力された場合、読み出し制御部４５は、各再生速度制御情報からスローフラグが‘１'で倍速数が‘４'のエントリを選択し、そのオフセット値である０を読み飛ばし指示信号として出力する。同様に、読み出し制御部４５は、再生速度指示が「２倍速再生」の場合はスローフラグが‘０'で倍速数が‘２'のエントリを、「１２倍速再生」の場合はスローフラグが‘０'で倍速数が‘１２'のエントリをそれぞれ選択して読み出し部４１を制御する。
【００５５】
表示能力検出部４４で検出された表示装置４６の表示能力が３０フレーム／秒であると仮定した場合、表示能力検出部４４は表示能力情報として３０フレーム／秒を得る。この場合、表示装置４６の表示能力が復号部４３における復号時のフレームレートである６０フレーム／秒と異なるため、符号化データのフレームレートである６０フレーム／秒と表示能力である３０フレーム／秒との関係から、読み出し制御部４５は、ユーザ操作に基づく再生速度指示によって指示される再生速度の２倍の再生速度のエントリを選択する。
【００５６】
例えば、読み出し制御部４５に再生速度指示として「通常速度再生」という情報が指示された場合、読み出し制御部４５は、その２倍の再生速度である「２倍速再生」のエントリであるスローフラグが‘０'で倍速数が‘２'のエントリを各再生速度制御情報から選択する。同様に、読み出し制御部４５は、再生速度指示が「１／８倍速再生」の場合はスローフラグが‘１'で倍速数が‘４'のエントリを、「１／２倍速再生」の場合はスローフラグが‘０'で倍速数が‘１'のエントリを、「１／６倍速再生」の場合はスローフラグが‘０'で倍速数が‘１２'のエントリをそれぞれ選択して読み出し部４１を制御する。
【００５７】
このように第２の実施の形態によれば、記録装置において、再生速度制御情報を付加した符号化ストリームを記録媒体５に記録し、再生装置において、外部から入力される再生速度指示、再生速度制御情報、復号時のフレームレート、および表示装置４６の表示能力情報に基づき、再生速度に応じて必要なピクチャの符号化データのみを記録媒体５から読み出し、復号部３３によって復号する。これにより、復号部４３が通常速度再生の処理能力しか備えていない場合でも、表示装置４６の表示能力に合わせて良好な通常速度再生や低速再生、高速再生を実現することが可能となる。
【図面の簡単な説明】
【００５８】
【図１】本発明の第１の実施の形態に係る記録装置の構成を示すブロック図である。
【図２】第１の実施の形態において複数の再生速度で再生する際に再生されるピクチャを示す図である。
【図３】第１の実施の形態における再生速度制御情報を示す図である。
【図４】第１の実施の形態において再生速度制御情報が付加された後の符号化ストリームの一例を示す図である。
【図５】本発明の第１の実施の形態に係る再生装置の構成を示すブロック図である。
【図６】第２の実施の形態において複数の再生速度で再生する際に再生されるピクチャを示す図である。
【図７】第２の実施の形態における再生速度制御情報を示す図である。
【図８】第２の実施の形態において再生速度制御情報が付加された後の符号化ストリームを示す図である。
【図９】本発明の第２の実施の形態に係る再生装置の構成を示すブロック図である。
【符号の説明】
【００５９】
１  符号化部
２  バッファ
３  再生速度制御情報付加部
４  記録部
５  記録媒体
３１  読み出し部
３２  再生速度制御情報分離部
３３  復号部
３４  読み出し制御部
４１  読み出し部
４２  再生速度制御情報分離部
４３  復号部
４４  表示能力検出部
４５  読み出し制御部
４６    表示装置
【図１】
2008211474.tif 000003
【図２】
2008211474.tif 000004
【図３】
2008211474.tif 000005
【図４】
2008211474.tif 000006
【図５】
2008211474.tif 000007
【図６】
2008211474.tif 000008
【図７】
2008211474.tif 000009
【図８】
2008211474.tif 000010
【図９】
2008211474.tif 000011